(57)【特許請求の範囲】
【請求項１】
樹体ジョイント仕立て法による果樹の栽培に用いる果樹栽培用棚であって、
梨、梅、柿、すもも、りんごまたは桃の栽培に用いるものであり、
複数の支柱と、複数の棒状補強材と、１列の果樹の栽培列において５本以上の線材と、を組み合わせてなり、
所定の列間隔および所定の間隔で列状に植えられ、列方向にジョイントされた果樹の栽培列中に、所定の間隔で前記支柱を設置し、
行方向において、複数の果樹の栽培列にわたり所定の高さＨで前記棒状補強材を配置し、
行方向において各列１本ずつ、合わせて複数の前記支柱を１本の前記棒状補強材と結合し、
各支柱における前記棒状補強材との交点Ｃから前記支柱に沿って地面方向へ長さＸの点を通過するように、各列において、列方向に線材αを配置して、前記線材αによって樹木の主枝を支え、
前記交点Ｃから前記棒状補強材に沿って行方向へ長さＹの２つの点の各々を通過するように、各列において、列方向に線材β１および線材β２を配置し、さらに前記線材β１、β２の各々に対して、これらと平行に、別の線材を各々１本以上配置して、前記線材β１および前記線材β２によって樹木の側枝を支え、
長さＸに対する長さＹの比（Ｙ／Ｘ）が１．０〜２.０である、果樹栽培用棚。
【請求項２】
前記長さＸが１００〜３００ｍｍである、請求項１に記載の果樹栽培用棚。
【請求項３】
前記高さＨが１４００〜２２００ｍｍである、請求項１または２に記載の果樹栽培用棚。
【請求項４】
前記支柱は一方の端部にアンカー部を有し、前記アンカー部を地面に埋設することで前記支柱を設置し、
前記支柱は他方の端部にＴキャップを有し、前記Ｔキャップを介して、前記支柱と前記棒状補強材とを結合する、請求項１〜３のいずれかに記載の果樹栽培用棚。
【発明の詳細な説明】
【技術分野】
【０００１】
本発明は、樹体ジョイント仕立て法による梨等の栽培において用いる果樹栽培用棚に関する。
【背景技術】
【０００２】
樹体ジョイント仕立て法とは、サクラ、ハナモモ、サルスベリ、ムクゲ、カエデ、梨、梅、柿などの樹木において、主枝を一方向へ延ばし、主枝先端部と隣接樹の主枝基部とを接ぎ木連結、または連接樹間の横枝を接ぎ木連結して複数樹を直線状に連続的に接ぎ木することにより、早期に樹体の骨格を完成させ、早期の成園化、果樹の早期多収穫を可能にする方法である（特許文献１参照）。
【０００３】
この樹体ジョイント仕立て法では、樹木の主枝と側枝を支える棚が必要となるが、従来、行列方向へ線材や棒材を配置した一般的な格子状の棚を用いていた。
【先行技術文献】
【特許文献】
【０００４】
【特許文献１】特開２００５−３０４４９５号公報
【発明の概要】
【発明が解決しようとする課題】
【０００５】
しかしながら、従来の格子状の棚は、設置するのに多大な労力を要し、通常、数人の職人が数日かかって設置していた。また、樹体ジョイント仕立て法を適用して果樹を栽培した場合、果実の発育がより早いことが好ましい。
【課題を解決するための手段】
【０００６】
本発明者は樹体ジョイント仕立て法を、特に梨、梅、柿、すもも、りんごまたは桃の果樹に適用した場合、棚の態様を特定のものとすることで、果樹の樹勢を強め果実の肥大を促進できることを見出した。そして、そのような特定の態様の棚であって、従来の一般的な格子状の棚よりも設置するのが簡単で、職人でなくても容易に設置できる棚を見出し、本発明を完成させた。
【０００７】
本発明は、次の（１）〜（５）である。
（１）樹体ジョイント仕立て法による果樹の栽培に用いる果樹栽培用棚であって、梨、梅、柿、すもも、りんごまたは桃の栽培に用いるものであり、複数の支柱と、複数の棒状補強材と、１列の果樹の栽培列において５本以上の線材と、を組み合わせてなり、所定の列間隔および所定の間隔で列状に植えられ、列方向にジョイントされた果樹の栽培列中に、所定の間隔で前記支柱を設置し、行方向において、複数の果樹の栽培列にわたり所定の高さＨで前記棒状補強材を配置し、行方向において各列１本ずつ、合わせて複数の前記支柱を１本の前記棒状補強材と結合し、各支柱における前記棒状補強材との交点Ｃから前記支柱に沿って地面方向へ長さＸの点を通過するように、各列において、列方向に線材αを配置して、前記線材αによって樹木の主枝を支え、前記交点Ｃから前記棒状補強材に沿って行方向へ長さＹの２つの点の各々を通過するように、各列において、列方向に線材β１および線材β２を配置し、さらに前記線材β１、β２の各々に対して、これらと平行に、別の線材を各々１本以上配置して、前記線材β１および前記線材β２によって樹木の側枝を支え、長さＸに対する長さＹの比（Ｙ／Ｘ）が１．０〜２.０である、果樹栽培用棚。
（２）前記長さＸが１００〜３００ｍｍである、上記（１）に記載の果樹栽培用棚。
（３）前記高さＨが１４００〜２２００ｍｍである、上記（１）または（２）に記載の果樹栽培用棚。
（４）前記支柱は一方の端部にアンカー部を有し、前記アンカー部を地面に埋設することで前記支柱を設置し、前記支柱は他方の端部にＴキャップを有し、前記Ｔキャップを介して、前記支柱と前記棒状補強材とを結合する、上記（１）〜（３）のいずれかに記載の果樹栽培用棚。
（５）樹体ジョイント仕立て法による果樹の栽培に用いる果樹栽培用棚の組立セットであって、前記果樹栽培用棚は、梨、梅、柿、すもも、りんごまたは桃の栽培に用いるものであり、複数の支柱と、複数の棒状補強材と、１列の果樹の栽培列において５本以上の線材と、を組み合わせてなり、所定の列間隔および所定の間隔で列状に植えられ、列方向にジョイントされた果樹の栽培列中に、所定の間隔で前記支柱を設置し、行方向において、複数の果樹の栽培列にわたり所定の高さＨで前記棒状補強材を配置し、行方向において各列１本ずつ、合わせて複数の前記支柱を１本の前記棒状補強材と結合し、各支柱における前記棒状補強材との交点Ｃから前記支柱に沿って地面方向へ長さＸの点を通過するように、各列において、列方向に線材αを配置して、前記線材αによって樹木の主枝を支え、前記交点Ｃから前記棒状補強材に沿って行方向へ長さＹの２つの点の各々を通過するように、各列において、列方向に線材β１および線材β２を配置し、さらに前記線材β１、β２の各々に対して、これらと平行に、別の線材を各々１本以上配置して、前記線材β１および前記線材β２によって樹木の側枝を支え、長さＸに対する長さＹの比（Ｙ／Ｘ）が１．０〜２.０である、果樹栽培用棚の組立セット。
【発明の効果】
【０００８】
本発明によれば、樹体ジョイント仕立て法を特に梨、梅、柿、すもも、りんごまたは桃に適用した場合に、従来の一般的な格子状の棚を用いた場合よりも、果樹の樹勢が強まり、果実の肥大化が促進され、また、従来の一般的な格子状の棚よりも設置するのが簡単で、職人でなくても容易に設置できる果樹栽培用棚を提供することができる。
【図面の簡単な説明】
【０００９】
【図１】図１は、使用状態の本発明の果樹栽培用棚の好適実施例を示す概略斜視図である。
【図２】図２は列方向にジョイントされた果実の栽培列の両端部に配置する支柱の概略断面図である。
【図３】図３は、本発明の果樹栽培用棚のより好ましい態様を示す概略斜視図である。
【発明を実施するための形態】
【００１０】
本発明について説明する。
本発明は、樹体ジョイント仕立て法による果樹の栽培に用いる果樹栽培用棚であって、梨、梅、柿、すもも、りんごまたは桃に用いるものであり、少なくとも、支柱と、棒状補強材と、３本の線材と、を組み合わせてなり、所定の列間隔および所定の間隔で列状に植えられ、列方向にジョイントされた果樹の栽培列中に、所定の間隔で前記支柱を設置し、行方向に、所定の高さＨで前記棒状補強材を配置し、各列に設置した前記支柱と前記棒状補強材とを結合し、各支柱における前記棒状補強材との交点Ｃから前記支柱に沿って地面方向へ長さＸの点を通過するように、各列において、列方向に線材α配置して、前記線材αによって果樹の主枝を支え、前記交点Ｃから前記棒状補強材に沿って行方向へ長さＹの２つの点の各々を各々通過するように、各列において、列方向に線材β１および線材β２を配置して、前記線材β１および前記線材β２によって果樹の側枝を支え、長さＸに対する長さＹの比（Ｙ／Ｘ）が１．０〜２．０である、果樹栽培用棚である。
【００１１】
このような本発明の果樹栽培用棚について、以下に図を用いて説明する。
図１は、使用状態の本発明の果樹栽培用棚１の好適実施例を示す概略斜視図であり、本発明の果樹栽培用棚１を用いて、樹体ジョイント仕立て法を梨５に適用して栽培している図である。
【００１２】
また、図１は、梨５の主枝５２を一方向へ延ばし、主枝５２の先端部と隣接樹の主枝５２の基部とを接ぎ木連結して、複数樹を直線状に連続的に接ぎ木する樹体ジョイント仕立て法によって、梨５を栽培している図である。図１に示すように、梨５の主枝５２が連結されている方向を列方向とし、上から見た場合にそれと垂直方向を行方向とする。
【００１３】
また、図１は梨５を４列、１列あたり２８本、全体で１１２本を植えたものの一部分を示している。
【００１４】
図１において本発明の果樹栽培用棚１は、支柱１２と、棒状補強材１４と、線材（α、β１、β２、γ１、γ２、γ３、γ４）と、を組み合わせてなる。
本発明の果樹栽培用棚は、少なくとも、支柱１２と、棒状補強材１４と、３本の線材（α、β１、β２）とを組み合わせてなるものであるが、図１に示すもののように、さらに線材（γ１、γ２、γ３、γ４）を備えるものであると、側枝５４の保持を好ましく行うことができる。
【００１５】
支柱１２および棒状補強材１４の材質等は特に限定されないが、鋼製パイプであることが好ましい。また、断面直径が５０ｍｍ程度のパイプであることが好ましい。また、溶融亜鉛メッキが施され、防錆効果を奏するものであることが好ましい。
線材（α、β１、β２、γ１、γ２、γ３、γ４）の材質等は特に限定されないが、鋼製のワイヤーであることが好ましい。また、溶融亜鉛メッキが施され、防錆効果を奏するものであることが好ましい。
【００１６】
図１において梨５は、所定の列間隔ａおよび所定の間隔ｂで列状に植えられ、列方向にジョイントされて栽培列をなしている。
所定の列間隔ａと所定の間隔ｂとは特に限定されない。例えば長果枝型品種の場合、ａは２．５〜３．５ｍであることが好ましい。また、例えば短果枝型品種の場合、ａは３．５〜５．０ｍであることが好ましい。また、ｂは１〜３ｍであることが好ましく、１．５〜２．５ｍであることがより好ましく、２ｍ程度であることがさらに好ましい。果樹の発育をより促進し、果実をよりなり易くすることができるからである。
【００１７】
この栽培列中に、所定の間隔ｃで支柱１２を設置し、行方向に、所定の高さＨで棒状補
強材１４を配置し、各列に設置した支柱１２と棒状補強材１４とを結合する。
支柱１２を設置する方法は特に限定されない。例えば、支柱１２が一方の端部にアンカー部を有しており、アンカー部を地面に打ち込んで埋設することで支柱１２を設置することができる。
支柱１２と棒状補強材１４とを結合する方法は特に限定されない。例えば溶接して結合することができる。また後述するように、支柱１２の上端部にＴキャップを付け、Ｔキャップを介して支柱１２と棒状補強材１４とを角バンドを用いて結合する方法でもよい。
また、所定の間隔ｃは特に限定されない。例えばｃは２〜６ｍであることが好ましく、３〜５ｍであることがより好ましく、３．５〜４．５ｍであることがより好ましく、３．８〜４．３ｍであることがより好ましく、４ｍ程度であることがさらに好ましい。果樹の発育をより促進し、果実をよりなり易くすることができるからである。
また、所定の高さＨとは、地面から棒状補強材１４の上面まで高さ（鉛直方向の長さ）を意味する。
所定の高さＨは特に限定されない。例えばＨは１４００〜２２００ｍｍであることが好ましく、１６００〜２０００ｍｍであることがより好ましく、１７００〜１９００ｍｍであることがより好ましく、１８００ｍｍ程度であることがさらに好ましい。果樹の発育をより促進し、果実をよりなり易くすることができるからである。
【００１８】
このようにして配置した支柱１２の各々における棒状補強材１４との交点Ｃから、支柱１２に沿って地面方向へ長さＸの点Ｐｘを通過するように、各列において、列方向に線材α配置する。この線材αは樹木の主枝５２を支えるように用いる。
例えば図１に示す好適実施例のように、支柱１２における点Ｐｘに相当する箇所に孔を開け、この孔に線材αを通して配置する。
そして、線材αと主枝５２とを紐で結んで主枝５２を支えることができる。
なお、交点Ｃは支柱１２と棒状補強材１４との交点であるが、より詳細には、支柱１２の中心線の上方向への延長線と、棒状補強材１４の上面との交点を意味するものとする。
【００１９】
また、交点Ｃから棒状補強材１４に沿って行方向へ長さＹの２つの点（Ｐｙ１、Ｐｙ２）の各々を通過するように、各列において、列方向に線材β１および線材β２を配置する。これら線材β１および線材β２は樹木の側枝５４を支えるように用いる。図１に示すように、交点Ｃから棒状補強材１４に沿って行方向へ、長さがＹである点は点Ｐｙ１および点Ｐｙ２の２つが存在する。
例えば棒状補強材１４の点Ｐｙ１および点Ｐｙ２に相当する箇所に、ワイヤー支持フックバンドを付け、その上をワイヤー状の線材β１および線材β２を配置する。
そして、線材β１、線材β２の各々の上に側枝５４が伸びるように置くことで支えることができる。
なお、線材β１および線材β２の交点Ｃからの距離（長さＹ）は、異なっていてもよい。
【００２０】
本発明の果樹栽培用棚では、上記の長さＸに対する長さＹの比（Ｙ／Ｘ）が１．０〜２．０である。この比は、１．２〜１．８であることが好ましく、１．４〜１．６であることがより好ましく、１．４５〜１．５５であることがより好ましく、１．５程度であることがさらに好ましい。
本発明者は樹体ジョイント仕立て法を、特に梨、梅、柿、すもも、りんごまたは桃の果樹に適用する場合、Ｙ／Ｘが上記の範囲となる棚を用いると、果樹の発育を促進し、果実をなり易くすることができることを見出した。
【００２１】
また、長さＸが１００〜３００ｍｍであることが好ましく、１５０〜２５０ｍｍであることがより好ましく、１８０〜２２０ｍｍであることがより好ましく、１９０〜２１０ｍｍであることがより好ましく、２００ｍｍ程度であることがさらに好ましい。果樹の発育をより促進し、果実をよりなり易くすることができるからである。
【００２２】
本発明の果樹栽培用棚では、列方向にジョイントされた果実の栽培列の両端部に配置する支柱等は、図２に記す態様であることが好ましい。
図２は列方向にジョイントされた果実の栽培列の、列方向の両端部に配置する好ましい態様の支柱の概略断面図である。
栽培列の両端部に配置された支柱は、線材（α、β１、β２等）によって果樹栽培用棚の内側へ引っ張られる。したがって、これによって内側へ倒れないように、内側に補強用支柱１１を有する。これによって線材（α、β１、β２等）を引っ張った状態を保持し、支柱１２および線材（α、β１、β２等）を所定の位置に保持することができる。図２に示した態様では、補強用支柱１１に張線器２０が設けられており、線材αおよび線材（β１、β２）を保持することができる。また、補強用支柱１１を地面に埋め込んだ先にはベースプレート２１を有することが好ましい。
また、図２において支柱１２は、一方の端部にアンカー部１３を有しており、このアンカー部１３が地面に打ち込まれている。
【００２３】
次に、本発明の果樹栽培用棚のより好ましい態様について、図３を用いて説明する。
図３は、本発明の果樹栽培用棚における１本の支柱およびその上部に取り付けられた棒状補強材の一部を示している。なお、図３における縮尺は実際のものとは必ずしも一致しない。
図３において支柱１２は、一方の端部にアンカー部１３を有している。アンカー部１３を地面に打ち込んで埋設することで、支柱１２を容易に設置することができる。
また、図３において支柱１２は、上端部にＴキャップ１５が付けられている。そして、Ｔキャップ１５を介して支柱１２と棒状補強材１４とを角バンド１６を用いて結合している。このような方法であると、支柱１２と棒状補強材１４とをより容易に結合でき好ましい。
【００２４】
本発明の果樹栽培用棚は、前記支柱と、前記棒状補強材と、前記線材と、を含む組立セットを組み立てて得ることができる。この組立セットは前記Ｔキャップを含むことが好ましい。また、支柱の一方の端部に取り付けてアンカー部となるアンカーを含むことが好ましい。
このような組立セットを用いて、職人でなくても容易に本発明の果樹栽培用棚を設置することができる。従来の格子状の棚は設置するのに多大な労力を要し、通常、数人の職人が数日かかって設置していた。
【符号の説明】
【００２５】
１    本発明の果樹栽培用棚
５    梨
５２  主枝
５４  側枝
１１  補強用支柱
１２  支柱
１３  アンカー部
１４  棒状補強材
１５  Ｔキャップ
１６  角バンド
１７  ワイヤー支持フックバンド
２０  張線器
２１  ベースプレート
α、β１、β２、γ１、γ２、γ３、γ４  線材
Ｐｘ  交点Ｃから地面方向へ長さＸの点
Ｐｙ１、Ｐｙ２  交点Ｃから行方向へ長さＹの点
【図１】
0005467633.tif 000002
【図２】
0005467633.tif 000003
【図３】
0005467633.tif 000004